(57)【要約】      （修正有）【課題】釣り合いおもり上およびエレベータケージ上の懸架滑車、ならびに平行に配置された複数の平ベルト式懸架手段を含むエレベータ装置の欠点を解消する。【解決手段】懸架手段は、釣り合いおもり２および／またはエレベータケージ１の主水平軸に対して斜めに延びる平行な垂直平面６．１に配置される。懸架滑車システムが、釣り合いおもり２およびエレベータケージ１に取り付けられ、懸架滑車システムの少なくとも１つは、それぞれ１つの懸架滑車を有し、かつ相互に近接して配置される複数の懸架滑車ユニット８．１、８．２を備える。懸架滑車ユニット８．１、８．２は、懸架滑車の回転軸が、本質的に水平であり、それぞれ回転軸が、１つの関連する垂直軸の周りで旋回できるように、釣り合いおもり２および／またはエレベータケージ１に固定される。【選択図】図２
2006027904.tif 000002
【特許請求の範囲】
【請求項１】
平行に配置された複数の平ベルト式懸架手段（６）により懸架および駆動される、エレベータケージ（１）および釣り合いおもり（２）を有するエレベータ装置であり、
少なくとも１つの牽引滑車（５）および懸架手段（６）とともに少なくとも２：１のリービング係数を有する懸架システムを形成する懸架滑車システム（７）が、釣り合いおもり（２）および／またはエレベータケージ（１）に取り付けられ、懸架手段（６）の中心線が、釣り合いおもり（２）および／またはエレベータケージ（１）の主水平軸（１４、１３）に対して斜めに延びる平行な垂直平面（６．１）に配置される、エレベータ装置であって、
懸架滑車システム（７）の少なくとも１つが、相互に近接して配置される複数の懸架滑車ユニット（８．１、８．２）を備え、各懸架滑車ユニットが、少なくとも１つの懸架滑車（９．１、９．２）を有し、懸架滑車ユニット（８．１、８．２）が、懸架滑車（９．１、９．２）の回転軸（１８）が本質的に水平であり、かつそれぞれ回転軸が１つの関連する垂直軸（１６）の周りで旋回できるように、釣り合いおもり（２）および／またはエレベータケージ（１）に固定されることを特徴とする、エレベータ装置。
【請求項２】
懸架滑車ユニット（８．１、８．２）は、懸架滑車（９．１、９．２）の回転軸（１８）が、前記平行な垂直平面（６．１）に対して直角であり、かつ水平方向に相互にずれて配置されるように、整列されることを特徴とする、請求項１に記載のエレベータ装置。
【請求項３】
各懸架滑車ユニット（８．１、８．２）の懸架滑車（９．１、９．２）が、懸架滑車ハウジング（１７）内の軸受部に取り付けられ、懸架滑車ハウジングが、ほぼ矩形の水平断面を有し、懸架滑車（９．１、９．２）の回転軸（１８）方向に測定された水平断面の幅（Ｂ）が、平ベルト式懸架手段（６）の幅（ｂ）の最大１５０％であることを特徴とする、請求項２に記載のエレベータ装置。
【請求項４】
その周りを懸架滑車ユニット（８．１、８．２）が旋回できる垂直軸（１６）が、釣り合いおもり（２）および／またはエレベータケージ（１）上に直線に沿って配置され、懸架滑車ユニット間相互の距離が、懸架滑車ユニット（８．１、８．２）の懸架滑車ハウジング（１７）の水平断面の幅（Ｂ）よりはるかに大きく、これにより、懸架滑車ユニット（８．１、８．２）が、相互にさらに移動するのを防止される前に、垂直軸（１６）の周りで懸架滑車ユニットの中心位置から最大４０°の角度まで旋回できることを特徴とする、請求項３に記載のエレベータ装置。
【請求項５】
その周りを懸架滑車ユニット（８．１、８．２）が旋回できる垂直軸（１６）が、釣り合いおもり（２）および／またはエレベータケージ（１）上に直線に沿って配置され、懸架滑車ユニット間相互の距離が、懸架滑車ユニット（８．１、８．２）の懸架滑車ハウジング（１７）の水平断面の幅（Ｂ）よりはるかに大きく、これにより、懸架滑車ユニット（８．１、８．２）が、相互にさらに移動するのを防止される前に、垂直軸（１６）の周りで懸架滑車ユニットの中心位置から最大３０°の角度まで旋回できることを特徴とする、請求項３に記載のエレベータ装置。
【請求項６】
釣り合いおもり（２）上の懸架滑車ユニット（８．１、８．２）の垂直軸（１６）の中心点が沿って配置される水平直線（２４）が、釣り合いおもり（２）の水平な縦軸（２３）に対して斜めに延びていることを特徴とする、請求項５に記載のエレベータ装置。
【請求項７】
各懸架滑車ユニット（８．１、８．２）が、エレベータケージおよび／または釣り合いおもり上にほぼ垂直に配置された一つの連結棒（２０）により固定され、連結棒（２０）が、その周りを懸架滑車ユニット（８．１、８．２）が旋回できる前記垂直軸（１６）を形成することを特徴とする、請求項６に記載のエレベータ装置。
【請求項８】
連結棒（２０）が、外側ねじを備える部分を有し、外側ねじが、内側ねじを含むねじ部品（２６）とともに、結合される懸架手段の張力の調節に役立つことを特徴とする、請求項７に記載のエレベータ装置。
【請求項９】
平ベルト式懸架手段（６）が、Ｖリブドベルトとして実現されることを特徴とする、請求項１から８のいずれか一項に記載のエレベータ装置。
【請求項１０】
エレベータケージ（１）を懸架する懸架手段（６）の一部が、エレベータケージの上方または下方に取り付けられた懸架滑車の周りを通過することを特徴とする、請求項１から８のいずれか一項に記載のエレベータ装置。
【発明の詳細な説明】
【技術分野】
【０００１】
本発明は、平行に配置された複数の平ベルト式懸架手段により懸架および駆動される、エレベータケージおよび釣り合いおもりを有するエレベータ装置に関する。牽引滑車および懸架手段とともに懸架システムを形成する懸架滑車システムが、釣り合いおもりおよび／またはエレベータケージに取り付けられる。この懸架システムは、少なくとも２：１のリービング係数（ｒｅｅｖｉｎｇ  ｆａｃｔｏｒ）を有し、懸架手段、またはより詳細にはそれら懸架手段の中心線は、釣り合いおもりおよび／またはエレベータケージの主水平軸に対して斜めに延びる平行な垂直平面に配置される。
【背景技術】
【０００２】
国際公開第９９／４３５９３号から、上方に配置された駆動モータを有し、かつエレベータケージおよび釣り合いおもりが、平行に配置された複数の平ベルトにより懸架および駆動される、エレベータシステムが知られている。国際公開第９９／４３５９３号における図５は、懸架手段を形成する平ベルトが、吊下げ方式でエレベータケージを支持している例示的な実施形態を示し、懸架手段は、エレベータケージおよび釣り合いおもりの主水平軸に対して斜め（すなわち、エレベータ昇降路の壁面に対しても斜めに）に延びる平行な垂直平面内に配置される。エレベータケージの下に取り付けられた牽引滑車の回転軸、および釣り合いおもり上の懸架滑車の回転軸は、懸架手段の上述の垂直平面に対して直角、したがって、エレベータケージおよび釣り合いおもりの上述の主軸に対して斜めに整列される。
【０００３】
国際公開第９９／４３５９３号の図５で開示されたエレベータケージは、以下のような欠点を有する。平行に配置された複数の平ベルトが、釣り合いおもり上にある懸架滑車の周りを通過するため、結果的に、懸架滑車は、釣り合いおもりの幅に比べて実質的により大きい幅を持つ必要がある。図示された平ベルト懸架に関して必要である、釣り合いおもりの主水平軸に対する懸架滑車の回転軸の斜め配置のために、釣り合いおもりの懸架滑車は、釣り合いおもりの幅（厚み）を超える組立スペースを必要とすることがある。これは、ケージの最大可能床表面を収容する利用可能な昇降路断面の最適な利用を妨げるか、または、ケージの所定の床表面について、より大きい昇降路断面を必要とする。
【特許文献１】国際公開第９９／４３５９３号パンフレット
【発明の開示】
【発明が解決しようとする課題】
【０００４】
本発明の目的は、釣り合いおもり上およびエレベータケージ上の懸架滑車、ならびに平行に配置された複数の平ベルト式懸架手段を含み、かつ懸架手段（より正確には、それら懸架手段の中心線）が、釣り合いおもりおよび／またはエレベータケージの水平主軸に対して斜めに延びる、複数の相互に平行な垂直平面内に配置される、エレベータ装置の前述の欠点を無くすることである。
【課題を解決するための手段】
【０００５】
本発明によれば、本発明の目的は、請求項１に記載される手段により満たされる。本発明の有利な実施形態およびさらなる展開は、従属請求項２から１０に記載される。
【０００６】
本発明は、釣り合いおもり上の（および特定の場合では、さらにエレベータケージ上の）、大きい組立スペースを必要とする一体構造または単一の回転軸の懸架滑車を、複数の懸架滑車ユニットに交換する考えに基づくものであり、複数の懸架滑車ユニットは、相互に近接して配置され、各々が１つの懸架滑車を有する。懸架滑車ユニットは、懸架滑車の回転軸が、本質的に水平となり、かつそれぞれ回転軸が関連する垂直軸の周りに旋回することにより整列され得るように、釣り合いおもりおよび／またはエレベータケージに固定される。この手段により、一体から成るか、または同じ回転軸上に配置された複数の懸架滑車から成るマルチ懸架滑車が、釣り合いおもりの組立スペースを越えて突き出る問題を回避でき、またはエレベータケージ上の利用可能な組立スペース内に据付できない問題を回避できる。
【０００７】
本発明の好ましい実施形態によれば、懸架滑車ユニットは、懸架滑車の回転軸が、釣り合いおもりおよび／またはエレベータケージの主軸に斜めに延び、かつ懸架手段が配置される平行平面に対して、直角になるように整列される。このように整列させると、懸架滑車の回転軸は、水平方向に相互にずれることになり、結果的に、釣り合いおもり上の懸架滑車および／またはエレベータケージ上の懸架滑車に必要とされる組立スペースを最少にできる。
【０００８】
特に有利な本発明の実施形態においては、各懸架滑車ユニットの懸架滑車は、懸架滑車ハウジング内の軸受部に取り付けられる。懸架滑車ハウジングは、本質的に矩形の水平断面を有し、水平断面の長さは、懸架滑車の直径にほぼ等しく、水平断面の幅は、平ベルト式懸架手段の幅の１５０％以下である。このような実施形態においては、個々の平ベルト式懸架手段間の距離は、可能な限り小さく維持できることが保証される。
【０００９】
本発明の有利な実施形態によれば、その周りを懸架滑車ユニットが旋回できる垂直軸が、釣り合いおもりおよび／またはエレベータケージ上に直線に沿って配置され、それら垂直軸間の距離は、懸架滑車の水平断面の幅よりはるかに大きいため、各懸架滑車ハウジングは、それら懸架滑車ユニットが相互にさらに移動するのを防止する前に、懸架滑車ユニットの垂直軸周りにそれぞれの中心位置から４０°以下の角度で旋回されることができる。
【００１０】
これにより、懸架滑車ユニットの位置が、本発明によるエレベータ装置に適合されることができるようになり、懸架手段を含む平行な垂直平面と、釣り合いおもりおよび／またはエレベータケージ上の懸架手段の垂直軸が沿って配置される水平直線に対して直角に延びる水平直線との間の角度は、４０°以下である。
【００１１】
本発明の有利な別の展開では、その周りを懸架滑車ユニットが旋回できる垂直軸の軸間の距離は、懸架滑車ハウジングの水平断面の幅より大幅に大きいため、各懸架滑車ハウジングは、それら懸架滑車ユニットが相互にさらに移動するのを防止する前に、懸架滑車ユニットの垂直軸周りに、それぞれの中心位置から３０°以下の角度で旋回されることができるだけである。懸架滑車ハウジングの（したがって、懸架滑車ユニットの）最大の可能な旋回転角度のこの制限により、懸架滑車ハウジング間の距離（したがって、平行に配置された平ベルト式懸架手段の間の距離）は、最少にできる。ただしこの場合、懸架手段を含む平行な垂直平面と、釣り合いおもりおよび／またはエレベータケージ上の懸架手段の垂直軸が沿って配置される水平直線に対して直角に延びる水平直線との角度は、３０°以下であると仮定する。
【００１２】
本発明の別の実施形態においては、それに沿って釣り合いおもり上の懸架滑車ハウジングの垂直軸が配置されている水平直線は、釣り合いおもりの水平な縦軸に対して斜めに延びる。平ベルト式懸架手段間の所定の距離、およびその距離に応じる懸架滑車ハウジングの最大の旋回において、釣り合いおもりおよび／またはエレベータケージの主水平軸に対する懸架滑車ユニットの斜め度合いの増加は、可能であるが、わずかに大きい組立スペースが必要となる。
【００１３】
有利には、各懸架滑車ユニットは、ほぼ垂直に配置された連結棒により、エレベータケージおよび／または釣り合いおもり上に固定される。連結棒はさらに、その周りを懸架滑車ユニットが旋回できる上記垂直軸を形成する。
【００１４】
本発明の別の有利な展開は、外側ねじを備える少なくとも一部分を有する連結棒から成り、外側ねじが内側ねじを含むねじ部分とともに、結合される懸架手段の張力の調節に役立つ。懸架手段の固定点における張力調節手段は、通常は、保守作業者の再張力調節の際にアクセスするのが難しい状態で配置されているが、省いてもよい。
【００１５】
本発明の特に有利な実施形態においては、平ベルト式懸架手段は、Ｖリブドベルトとして実現される。Ｖリブドベルトは、牽引滑車および懸架滑車および反転滑車上を、それら滑車が周囲にＶリブドベルトの輪郭と相補的なＶ型リブの輪郭を有すると仮定すると、問題なく通過できる。さらに、牽引滑車からベルトに伝達され得る牽引力は、Ｖリブドベルトの方が平ベルトに比べて大きい。
【００１６】
例えば、エレベータ昇降路の上部スペース内またはエレベータ昇降路ピット内で利用可能なエレベータ昇降路スペースに応じて、本発明によるエレベータ装置は、懸架滑車をエレベータケージの上方に取り付けるか、または懸架滑車をエレベータケージの下方に取り付けることによって実行される。すなわち、前述の最新技術で用いられる、いわゆる吊り下げ式懸架手段である。
【００１７】
本発明の例示的な実施形態は、添付図面を参照して以下に説明される。
【発明を実施するための最良の形態】
【００１８】
図１および図２は、本発明によるエレベータ装置の側面図および平面図を示す。基本的に、ケージフレーム１．１を備えるエレベータケージ１、エレベータケージ１の側方に据え付けられた釣り合いおもり２、およびエレベータ装置の昇降路上部スペースに据え付けられた駆動モータ４を備える駆動ユニット３が示されている。駆動モータ４は、ベルトプーリ１１を介して、相互に平行に配置された複数の平ベルト式懸架手段６に作動する牽引滑車５を駆動する（より明瞭にするために、図１では単一の懸架手段を１つだけ示している）。ケージフレーム１．１のクロスヘッド１．１．１および釣り合いおもり２に取り付けられる懸架滑車システムは、参照符号７．１および７．２でそれぞれ示されており、これらの懸架滑車システムにより、平ベルト式懸架手段６が、エレベータケージ１および釣り合いおもり２を懸架し、かつ駆動する。図１から明らかなとおり、懸架手段６は、駆動ユニット３上の第１の懸架手段固定点１０から出発し、エレベータケージ１に取り付けられた懸架滑車システム７．１の懸架滑車９．１を通過した後、上方の牽引滑車５まで進み、牽引滑車５を通過し、ほぼ水平方向に延びて駆動ユニット３のダイバータ滑車１２に達し、ここから下方に、釣り合いおもり２に取り付けられた懸架滑車９．２を備える懸架滑車システム７．２に達し、釣り合いおもり２の懸架滑車９．２の下を通過し、駆動ユニット３の第２の懸架手段固定点１０．２で終端する。
【００１９】
平面図（図２）に見られるように、懸架手段６は、エレベータケージ１および釣り合いおもり２のそれぞれの主水平軸１３および１４に対して角度αで斜めに延びる、平行な垂直平面６．１内に配置される。上述の主軸は、また、エレベータケージ１および釣り合いおもり２の重力の軸にほぼ一致する。このような配置は、釣り合いおもりの水平断面が、エレベータケージの主軸に対して対称的に置かれていないエレベータ装置において実現され、多くの場合スペースの最適な利用の理由による。
【００２０】
図２に見られるように、釣り合いおもり２およびエレベータケージ１は、単一の回転軸上に配置された一体構造の懸架滑車または複数の懸架滑車のいずれかを含まない、懸架滑車システム７．２、７．１を有するが、一体の懸架滑車を有する複数の個別の懸架滑車ユニット８．２、８．１を備える。これらは、懸架滑車の回転軸が水平であり、それぞれが各懸架滑車ユニット８．２、８．１に割り当てられる垂直軸１６の周りで旋回できるように、釣り合いおもりおよびエレベータケージに固定される。図２では、懸架滑車ユニット８．２、８．１は、懸架滑車の外形をほぼ示す単なる矩形で示されており、図中の小さい円は、上述の垂直軸を表す。しかしながら、懸架滑車ユニット８．２、８．１は、それらに組み込まれた懸架滑車の回転軸が、懸架手段６が配置される平行な垂直平面６．１に対して直角になるように、旋回または固定される。さらに、水平方向において、懸架滑車の回転軸は、相互にずらして配置され、これにより、懸架滑車システム７．２、７．１を、それぞれ釣り合いおもりの垂直方向投影内および／またはエレベータケージ１のケージフレーム１．１のクロスヘッド１．１．１内に置くことができる。
【００２１】
これら懸架滑車ユニット８．２、８．１の構造、配置、および有利な効果は、以下に詳細に述べられる。
【００２２】
図３、図４、図５は、懸架滑車ユニット８．２、８．１の正面図、側面図、および平面図を示す。平ベルト式懸架手段６用に構成された懸架滑車９．１、９．２は、矩形の水平断面を有する懸架滑車ハウジング１７内の軸受部に取り付けられ、懸架滑車の回転軸１８の方向の水平断面は、可能な限り小さい幅を有し、その長さは、懸架滑車９．２、９．１の直径にほぼ一致する。懸架滑車ハウジング１７の２つの壁１９の厚み、およびそれら２つの壁の間に必要とされる距離、およびそれら２つの壁の間に配置された懸架手段６は、懸架滑車ハウジングの水平断面の上述の幅Ｂが、懸架手段の幅ｂの１５０％を超えないように、理想的には懸架手段の幅ｂの１３５％から１４０％になるように選択される。
【００２３】
連結棒２０が、懸架手段ハウジング１７の下領域に接続され、連結棒は、懸架滑車ハウジング１７を固定し、連結棒によって懸架滑車ユニット８．２、８．１を、釣り合いおもり２および／またはエレベータケージ１に固定するのに役立ち、同時に、その周りを懸架滑車ユニットが旋回できる上述の垂直軸１６を形成する。
【００２４】
懸架滑車ハウジング１７と連結棒２０との接続は、有利には、懸架滑車ハウジングに挿入される丸ピン２１によりなされ、結果的に、上述の接続の所定の連結が得られる。連結棒２０は、その長さの少なくとも一部に、外側ねじを備え、外側ねじは、ねじ部品２６とともに、釣り合いおもり２および／またはエレベータケージ１の構成部品とのねじ接続を可能にするだけでなく、平行懸架手段６に等しい張力を生じさせるのに役立つ。
【００２５】
図４および図５に見られるように、平ベルト式懸架手段６は、Ｖリブドベルトの形態を取ることができ、Ｖリブドベルト表面の少なくとも一部は、複数の平行なＶ型リブ形状を備える輪郭を有する。周囲がベルトの輪郭と相補的な輪郭を有する、牽引滑車と懸架滑車およびダイバータ滑車と組み合わせられて、Ｖリブドベルトは、完全に滑車を案内され、同一の表面材料を有する通常の平ベルトに比べて、牽引滑車と懸架手段との間により大きい牽引力を確実に伝達できる。図６Ａおよび図７Ａは、釣り合いおもり２およびエレベータケージ１上の懸架滑車をそれぞれ含む、懸架滑車ユニット８．２、８．１の図１および図２から分かる配置の概略の拡大平面図である。
【００２６】
図６Ａおよび図７Ａから、懸架滑車システムが、垂直軸１６周りで旋回できる単一の懸架滑車ユニット８．２、８．１から成るときに得られることができる、有利な効果を見ることができる。図１および図２に対応して、１．１．１は、ケージフレーム１．１および釣り合いおもり２のクロスヘッドを示す。図２に示すとおり、懸架手段が配置されるエレベータケージおよび釣り合いおもりのそれぞれの主水平軸１３および１４に対して斜めに延びる平面６．１は、釣り合いおもり２およびエレベータケージ１上のそれぞれの懸架滑車を備える、懸架滑車ユニット８．２、８．１の対応する斜め位置を必要とする。相互に分離され、個々に固定される懸架滑車ユニット８．２、８．１により、懸架滑車の回転軸１８を有するそれら懸架滑車ユニットの配置が可能になり、回転軸は、懸架手段を含む平面６．１の方向に相互にずれており、したがって、釣り合いおもりの垂直方向投影内の釣り合いおもり２の懸架滑車の配置だけでなく、例えばエレベータケージ１のケージフレームの比較的細いクロスヘッド１．１．１の幅内で、エレベータケージ１の懸架滑車の配置を可能にする。
【００２７】
これにより、図６Ａに見られるように、懸架滑車ユニット８．２、８．１の旋回運動は制限され、それら懸架滑車ユニット間の距離、したがって懸架手段間の距離に応じる、特定の最大の旋回角度において、これら懸架滑車ユニットのさらなる相互運動は防止される。
【００２８】
上述の距離は、懸架滑車ユニット８．２、８．１が、旋回の両方向において、それらの中心位置から最大４０°まで旋回できるように、すなわち全体で最大８０°旋回できるように選択される。
【００２９】
懸架手段が配置される平行な垂直平面６．１と、それに沿って釣り合いおもりおよび／またはエレベータケージ上の懸架手段の垂直軸が配置される水平直線に対して直角に延びる水平直線との間の角度が、対応して小さい場合、懸架滑車ユニット８．２、８．１の垂直軸（旋回軸）１６間の距離を、小さくして、懸架滑車ユニットが、それらの中心位置から最大３０°までだけ旋回するように、すなわち全体で最大６０°まで旋回できるようにすることができる。結果的に、懸架手段６間の距離をより小さくできる。
【００３０】
図６Ａは、全ての懸架手段に対して１つの一体構造の懸架滑車２２、または共通の回転軸上に配置された複数の懸架滑車を備える懸架滑車システムが、図６Ａによる懸架滑車システム７．１、７．２に比べて大幅により大きい組立スペースを占めることを示す。
【００３１】
図７Ａは、釣り合いおもり２に取り付けられた懸架滑車ユニット８．２の配置を示し、この懸架滑車ユニットでは、懸架滑車ユニット８．２の中心（通常、その周りを懸架滑車ユニットが旋回できる垂直軸１６に一致する）は、釣り合いおもり２の水平な縦軸２３上に配置されていないが、この軸に対して斜めの直線２４上にある。図から容易に分かるように、このように構成することにより、懸架手段間の所定の距離において（したがって、懸架滑車ユニット間の特定の距離において）、これに対応して、それぞれ釣り合いおもり２の主軸１４およびエレベータケージ１の主軸１３と、懸架手段が配置される垂直平面６．１との間のより大きい角度αを実現できる。
【００３２】
図７Ｂからは、個別の懸架滑車ユニットを使用し、懸架滑車ユニットの各々が、垂直軸の周りに旋回可能であり、水平方向に移動可能であることにより、どの程度の組立スペースを節減できるかが分かる。一体構造であるか、または共通の回転軸上に配置された個別の滑車から成る、図７Ｂに示される懸架滑車２２は、ここで示すより大きい角度αを有しながらも、図７Ａによる個別に旋回可能な方式で取り付けられた懸架滑車ユニット８．２、８．１に比べて実質的により大きいスペースを占める。既存のエレベータ装置を最新化するとき、例えば、本発明による懸架滑車ユニットを使用することは、エレベータケージ１のケージフレームのクロスヘッド１．１．１内部において利用可能スペース内で、エレベータケージ上に懸架滑車を配置できる唯一の可能な方法であり得る。
【図面の簡単な説明】
【００３３】
【図１】本発明によるエレベータ装置の概略側面図であって、釣り合いおもり、エレベータ昇降路の上部スペースに据え付けられた駆動ユニット、および記号的に表される２：１のリービングシステムの懸架手段を示す図である。
【図２】駆動および懸架滑車システム、ならびに懸架システムの懸架手段を有する、図１に示されるエレベータ装置の平面図である。
【図３】懸架滑車ハウジングおよびその内部に配置された懸架滑車を有する、２：１のリービングの単一の平ベルト式懸架手段についての懸架滑車ユニットの正面図である。
【図４】図３による懸架滑車ユニットの側面図である。
【図５】図３および図４による懸架滑車ユニットの上面図である。
【図６Ａ】釣り合いおもりおよびエレベータケージ上の懸架滑車システムの配置の平面図であって、個別に旋回可能な懸架滑車ユニットを有し、懸架手段の平面と、釣り合いおもりおよびエレベータケージの主水平軸との間の角度は小さい図である。
【図６Ｂ】図６Ａと同様であるが、共通の回転軸上に懸架滑車を有する懸架滑車システムの配置の平面図である。
【図７Ａ】図６Ａと同様であるが、懸架手段の平面と、釣り合いおもりおよびエレベータケージのそれぞれの主水平軸との間の角度がより大きい、懸架滑車システムの配置の平面図である。
【図７Ｂ】図７Ａと同様であるが、共通軸上に懸架滑車を有する、懸架滑車システムの配置の平面図である。
【符号の説明】
【００３４】
１  エレベータケージ
１．１  ケージフレーム
２  釣り合いおもり
１．１．１  クロスヘッド
３  駆動ユニット
４  駆動モータ
５  牽引滑車
６  平ベルト式懸架手段
６．１  垂直平面
７．１、７．２  懸架滑車システム
８．１、８．２  懸架滑車ユニット
９．１、９．２、２２  懸架滑車
１０．２  第２の懸架手段固定点
１１  ベルトプーリ
１３、１４  主水平軸
１６  垂直軸
１７  懸架滑車ハウジング
１８  懸架滑車の回転軸
１９  壁
２０  連結棒
２６  ねじ部品
【図１】
2006027904.tif 000003
【図２】
2006027904.tif 000004
【図３】
2006027904.tif 000005
【図４】
2006027904.tif 000006
【図５】
2006027904.tif 000007
【図６Ａ】
2006027904.tif 000008
【図６Ｂ】
2006027904.tif 000009
【図７Ａ】
2006027904.tif 000010
【図７Ｂ】
2006027904.tif 000011
【外国語明細書】
2006027904.tif 000012
2006027904.tif 000013
2006027904.tif 000014
2006027904.tif 000015
2006027904.tif 000016
2006027904.tif 000017
2006027904.tif 000018
2006027904.tif 000019
2006027904.tif 000020
2006027904.tif 000021
2006027904.tif 000022
2006027904.tif 000023
2006027904.tif 000024
2006027904.tif 000025
2006027904.tif 000026
2006027904.tif 000027
2006027904.tif 000028
2006027904.tif 000029
2006027904.tif 000030
2006027904.tif 000031
2006027904.tif 000032
2006027904.tif 000033
2006027904.tif 000034
2006027904.tif 000035